【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
端末装置とサーバとの間でネットワークを介してデータの送受信が可能とされたシステムにおけるデータ処理方法において、
サーバで管理される複数のファイルからファイル群が構成され、上記ファイル群が所有者毎にそれぞれラベル付けされ、ファイルにアクセスする際に、アクセスしたファイルが自己の所有の上記ファイル群に含まれる場合は、そのファイルを自由にダウンロードおよび／またはストリーミングによって再生でき、
アクセスしたファイルが自己の所有の上記ファイル群に含まれない場合は、そのファイルの一部のみを再生可能とするデータ処理方法。
【請求項２】
端末装置とサーバとの間でネットワークを介してデータの送受信が可能とされたシステムにおけるデータ処理方法において、
サーバで管理される複数のファイルからファイル群が構成され、上記ファイル群が所有者毎にそれぞれラベル付けされ、ファイルにアクセスする際に、アクセスしたファイルが自己の所有の上記ファイル群に含まれる場合は、そのファイルを自由にダウンロードおよび／またはストリーミングによって再生でき、
アクセスしたファイルが自己の所有の上記ファイル群に含まれない場合は、課金によってダウンロードおよび／またはストリーミングによる再生を可能とするデータ処理方法。
【請求項３】
端末装置とサーバとの間でネットワークを介してデータの送受信が可能とされたシステムにおけるデータ処理方法において、
サーバで管理される複数のファイルからファイル群が構成され、上記ファイル群が所有者毎にそれぞれラベル付けされ、ファイルにアクセスする際に、上記アクセスしたファイルが自己の所有の上記ファイル群に含まれる場合は、そのファイルを自由にダウンロードおよび／またはストリーミングによって再生でき、
アクセスしたファイルが自己の所有の上記ファイル群に含まれない場合は、所定の手続きによってそのファイルを自己の所有の上記ファイル群に加えることによって、ダウンロードおよび／またはストリーミングによる再生を可能とするデータ処理方法。
【請求項４】
請求項１、２または３において、
上記ファイルが暗号化されているデータ処理方法。
【請求項５】
請求項１、２または３において、
上記サーバに格納されるファイルが正当に入手されたことを確認済みのものであるデータ処理方法。
【請求項６】
請求項１において、
ファイルの一部の暗号化を復号することによって一部をストリーミングによって再生することを可能とするデータ処理方法。
【請求項７】
請求項２において、
ストリーミングによる再生の場合の料金に比してダウンロードの場合の料金がより高くされたデータ処理方法。
【請求項８】
請求項３において、
上記所定の手続きが課金であるデータ処理方法。
【請求項９】
端末装置とサーバとの間でネットワークを介してデータの送受信が可能とされたシステムにおけるデータ処理装置において、
サーバで管理される複数のファイルからファイル群が構成され、上記ファイル群が所有者毎にそれぞれラベル付けされ、ファイルにアクセスする際に、アクセスしたファイルが自己の所有の上記ファイル群に含まれる場合は、そのファイルを自由にダウンロードおよび／またはストリーミングによって再生でき、
アクセスしたファイルが自己の所有の上記ファイル群に含まれない場合は、そのファイルの一部のみを再生可能とするデータ処理装置。
【請求項１０】
端末装置とサーバとの間でネットワークを介してデータの送受信が可能とされたシステムにおけるデータ処理装置において、
サーバで管理される複数のファイルからファイル群が構成され、上記ファイル群が所有者毎にそれぞれラベル付けされ、ファイルにアクセスする際に、アクセスしたファイルが自己の所有の上記ファイル群に含まれる場合は、そのファイルを自由にダウンロードおよび／またはストリーミングによって再生でき、
アクセスしたファイルが自己の所有の上記ファイル群に含まれない場合は、課金によってダウンロードおよび／またはストリーミングによる再生を可能とするデータ処理装置。
【請求項１１】
端末装置とサーバとの間でネットワークを介してデータの送受信が可能とされたシステムにおけるデータ処理装置において、
サーバで管理される複数のファイルからファイル群が構成され、上記ファイル群が所有者毎にそれぞれラベル付けされ、ファイルにアクセスする際に、上記アクセスしたファイルが自己の所有の上記ファイル群に含まれる場合は、そのファイルを自由にダウンロードおよび／またはストリーミングによって再生でき、
アクセスしたファイルが自己の所有の上記ファイル群に含まれない場合は、所定の手続きによってそのファイルを自己の所有の上記ファイル群に加えることによって、ダウンロードおよび／またはストリーミングによる再生を可能とするデータ処理装置。
【請求項１２】
請求項９、１０または１１において、
上記ファイルが暗号化されているデータ処理装置。
【請求項１３】
請求項９、１０または１１において、
上記サーバに格納されるファイルが正当に入手されたことを確認済みのものであるデータ処理装置。
【請求項１４】
請求項９において、
ファイルの一部の暗号化を復号することによって一部をストリーミングによって再生することを可能とするデータ処理装置。
【請求項１５】
請求項１０において、
ストリーミングによる再生の場合の料金に比してダウンロードの場合の料金がより高くされたデータ処理装置。
【請求項１６】
請求項１１において、
上記所定の手続きが課金であるデータ処理装置。
【請求項１７】
端末装置とサーバとの間でネットワークを介してデータの送受信が可能とされたシステムにおけるデータアクセス方法において、
所望のファイルを指定するステップと、
指定したファイルが自己の所有のファイルか否かを判定するステップと、
自己の所有のファイルと判定された場合に、そのファイルを自由にダウンロードおよび／またはストリーミングによって再生し、自己の所有のファイルでないと判定された場合に、そのファイルの一部のみを再生するステップとからなるデータアクセス方法。
【請求項１８】
端末装置とサーバとの間でネットワークを介してデータの送受信が可能とされたシステムにおけるデータアクセス方法において、
所望のファイルを指定するステップと、
指定したファイルが自己の所有のファイルか否かを判定するステップと、
自己の所有のファイルと判定された場合に、そのファイルを自由にダウンロードおよび／またはストリーミングによって再生し、自己の所有のファイルでないと判定された場合に、課金後にそのファイルをダウンロードおよび／またはストリーミングによって再生するステップとからなるデータアクセス方法。
【請求項１９】
請求項１７または１８において、
上記ファイルが暗号化されているデータアクセス方法。
【請求項２０】
請求項１７または１８において、
上記所望のファイルを指定するステップは、所望のファイル名を検索することによってなされるデータアクセス方法。
【請求項２１】
請求項１７または１８において、
上記所望のファイルを指定するステップは、サーバから提示された一覧から所望のファイルを選択することによってなされるデータアクセス方法。
【請求項２２】
請求項１７において、
ファイルの一部の暗号化を復号することによって一部をストリーミングによって再生することを可能とするデータアクセス方法。
【請求項２３】
請求項１８において、
ストリーミングによる再生の場合の料金に比してダウンロードの場合の料金がより高くされたデータアクセス方法。
【請求項２４】
端末装置とサーバとの間でネットワークを介してデータの送受信が可能とされたシステムにおける端末装置において、
指定したファイルが自己の所有のファイルか否かを判定する判定手段と、
自己の所有のファイルと判定された場合に、そのファイルを自由にダウンロードおよび／またはストリーミングによって再生し、自己の所有のファイルでないと判定された場合に、そのファイルの一部のみを再生する再生手段とからなる端末装置。
【請求項２５】
端末装置とサーバとの間でネットワークを介してデータの送受信が可能とされたシステムにおける端末装置において、
指定したファイルが自己の所有のファイルか否かを判定する判定手段と、
自己の所有のファイルと判定された場合に、そのファイルを自由にダウンロードおよび／またはストリーミングによって再生し、自己の所有のファイルでないと判定された場合に、課金後にそのファイルをダウンロードおよび／またはストリーミングによって再生する再生手段とからなる端末装置。
【請求項２６】
請求項２４または２５において、
上記ファイルが暗号化されている端末装置。
【請求項２７】
請求項２４または２５において、
所望のファイル名を検索することによってファイルを指定する端末装置。
【請求項２８】
請求項１７または１８において、
サーバから提示された一覧から所望のファイルを選択することによってファイルを指定する端末装置。
【請求項２９】
請求項２４において、
ファイルの一部の暗号化を復号することによって一部のストリーミングによる再生を可能とする端末装置。
【請求項３０】
請求項２５において、
ストリーミングによる再生の場合の料金に比してダウンロードの場合の料金がより高くされた端末装置。
【請求項３１】
サーバが蓄積する複数のファイルのうちの特定のファイルへのアクセスを受信し、
上記特定のファイルが上記アクセスに対応するユーザが所有するファイルか否か判別し、
上記特定のファイルが上記ユーザが所有するファイルであるとき、上記アクセスに対応する端末装置に対して上記特定のファイルを転送し、
上記特定のファイルが上記ユーザが所有するファイルでないとき、上記特定のファイルの一部を、上記アクセスに対応する端末に対して転送するデータ処理方法。
【請求項３２】
上記特定のファイルが上記ユーザが所有するファイルであるとき、上記アクセスに対応する端末装置に対して上記特定のファイルをダウンロード転送する請求項３１に記載のデータ処理方法。
【請求項３３】
上記特定のファイルが上記ユーザが所有するファイルでないとき、上記特定のファイルの一部を、上記アクセスに対応する端末に対してストリーミング転送する請求項３２に記載のデータ処理方法。
【手続補正２】
【補正対象書類名】明細書
【補正対象項目名】０００５
【補正方法】変更
【補正の内容】
【０００５】
【課題を解決するための手段】
上述した課題を達成するために、請求項１の発明は、端末装置とサーバとの間でネットワークを介してデータの送受信が可能とされたシステムにおけるデータ処理方法において、サーバで管理される複数のファイルからファイル群が構成され、ファイル群が所有者毎にそれぞれラベル付けされ、ファイルにアクセスする際に、アクセスしたファイルが自己の所有のファイル群に含まれる場合は、そのファイルを自由にダウンロードおよび／またはストリーミングによって再生でき、アクセスしたファイルが自己の所有のファイル群に含まれない場合は、そのファイルの一部のみを再生可能とするデータ処理方法である。請求項９の発明は、アクセスしたファイルが自己の所有のファイル群に含まれない場合は、そのファイルの一部のみを再生可能とするデータ処理装置である。
【手続補正３】
【補正対象書類名】明細書
【補正対象項目名】０００８
【補正方法】変更
【補正の内容】
【０００８】
請求項１７の発明は、端末装置とサーバとの間でネットワークを介してデータの送受信が可能とされたシステムにおけるデータアクセス方法において、所望のファイルを指定するステップと、指定したファイルが自己の所有のファイルか否かを判定するステップと、自己の所有のファイルと判定された場合に、そのファイルを自由にダウンロードおよび／またはストリーミングによって再生し、自己の所有のファイルでないと判定された場合に、そのファイルの一部のみを再生するステップとからなるデータアクセス方法である。請求項２４の発明は、自己の所有のファイルでないと判定された場合に、そのファイルの一部のみを再生する再生手段とからなる再生装置である。
【手続補正４】
【補正対象書類名】明細書
【補正対象項目名】０００９
【補正方法】変更
【補正の内容】
【０００９】
請求項１８の発明は、端末装置とサーバとの間でネットワークを介してデータの送受信が可能とされたシステムにおけるデータアクセス方法において、所望のファイルを指定するステップと、指定したファイルが自己の所有のファイルか否かを判定するステップと、自己の所有のファイルと判定された場合に、そのファイルを自由にダウンロードおよび／またはストリーミングによって再生し、自己の所有のファイルでないと判定された場合に、課金後にそのファイルをダウンロードおよび／またはストリーミングによって再生するステップとからなるデータアクセス方法である。請求項２５の発明は、自己の所有のファイルでないと判定された場合に、課金後にそのファイルをダウンロードおよび／またはストリーミングによって再生する再生手段とからなる端末装置である。
また、請求項３１の発明は、サーバが蓄積する複数のファイルのうちの特定のファイルへのアクセスを受信し、特定のファイルがアクセスに対応するユーザが所有するファイルか否か判別し、特定のファイルがユーザが所有するファイルであるとき、アクセスに対応する端末装置に対して特定のファイルを転送し、特定のファイルがユーザが所有するファイルでないとき、特定のファイルの一部を、アクセスに対応する端末に対して転送するデータ処理方法である。